(57)【特許請求の範囲】
【請求項１】
複数の終端装置を有する局側装置と、
該局側装置と光伝送路を介して接続されており、可変波長フィルタを有する複数の加入者側装置と
を含んで構成され、
前記複数の終端装置に、互いに異なる波長が割り当てられるネットワークにおいて、未登録の加入者側装置を登録する方法であって、
ディスカバリシーケンスの前に行われる、
少なくとも１つの前記終端装置が、全ての前記加入者側装置に対して、設定すべき波長を通知する波長通知信号を、ディスカバリ周期よりも短い周期で送信する過程、及び
前記波長通知信号を受信した未登録の加入者側装置が、前記可変波長フィルタの透過波長を、前記波長通知信号によって通知された波長に設定する過程と、
いずれかの前記終端装置が前記未登録の加入者側装置を登録する前記ディスカバリシーケンスを行う過程と
を含むことを特徴とする加入者側装置登録方法。
【請求項２】
前記波長通知信号は、２以上の設定すべき波長を通知する
ことを特徴とする請求項１に記載の加入者側装置登録方法。
【請求項３】
前記波長通知信号は、各設定すべき波長に対して比率を付与した比率調整記号を含み、
前記未登録の加入者側装置は、前記比率調整記号の比率に応じて、前記可変波長フィルタの透過波長を設定する
ことを特徴とする請求項２に記載の加入者側装置登録方法。
【請求項４】
前記波長通知信号は、さらに波長毎に応答要求信号の送信タイミングを通知する
ことを特徴とする請求項２に記載の加入者側装置登録方法。
【請求項５】
加入者側装置は、前記可変波長フィルタの透過波長を、ディスカバリ周期よりも短い周期で一定時間毎に順次に変更することによって、前記可変波長フィルタの透過波長と前記波長通知信号の送信波長とが対応する時間において、前記波長通知信号を受信する
ことを特徴とする請求項１〜４に記載の加入者側装置登録方法。
【請求項６】
加入者側装置は、パワー測定部によって前記波長通知信号を含む下り光信号の光パワーを測定し、測定された光パワーがある値以上である下り光信号を受信する
ことを特徴とする請求項１〜５に記載の加入者側装置登録方法。
【請求項７】
互いに異なる波長が割り当てられる複数の終端装置を有する局側装置と、
該局側装置と光伝送路を介して接続されている複数の加入者側装置と
を備え、
前記終端装置は、
前記加入者側装置に対して、設定すべき波長を通知する波長通知信号を生成する局側信号生成手段と、
前記波長通知信号を含む下り光信号を前記加入者側装置に送る局側光信号送信部と
を有し、
前記加入者側装置は、
前記下り光信号を受け取る、可変波長フィルタを備える加入者側光信号受信部と、
前記波長通知信号から設定すべき波長を読み取る加入者側信号読取手段と、
前記信号読取手段が前記波長通知信号から読み取った波長の情報に基づき、前記可変波長フィルタに、設定すべき透過波長を通知する可変波長フィルタ制御部と
を有し、
各前記終端装置は、前記加入者装置に対して、それぞれ異なる波長の下り光信号を送信し、かつ少なくとも１つの前記終端装置は、全ての前記加入者側装置に対して、前記波長通知信号を、ディスカバリ周期よりも短い周期で送信し、
各前記加入者装置は、前記終端装置に対して、それぞれ異なる送信タイミングで上り光信号を送信する
ことを特徴とする光ネットワークシステム。
【請求項８】
前記可変波長フィルタは、ディスカバリ周期よりも短い周期で一定時間毎に順次に透過波長を変更可能である
ことを特徴とする請求項７に記載の光ネットワークシステム。
【請求項９】
前記加入者側装置は、下り光信号の光パワーを測定するパワー測定部をさらに備える
ことを特徴とする請求項７又は８に記載の光ネットワークシステム。
【発明の詳細な説明】
【技術分野】
【０００１】
この発明は、複数の終端装置を有する局側装置と、１又は複数の加入者側装置とで構成されるネットワークにおける加入者側装置登録方法及び光ネットワークシステムに関する。
【背景技術】
【０００２】
通信事業者の所有する建物（局）と加入者宅を結ぶ通信網は、アクセス系ネットワークと呼ばれる。昨今の通信容量の増大を受け、アクセス系ネットワークでは、光通信を利用することにより膨大な情報量の伝送を可能とする、光アクセス系ネットワークが主流になりつつある。
【０００３】
光アクセス系ネットワークの一形態として受動型光加入者ネットワーク（ＰＯＮ：Ｐａｓｓｉｖｅ  Ｏｐｔｉｃａｌ  Ｎｅｔｗｏｒｋ）がある。ＰＯＮは、局内に設けられる１つの局側装置（ＯＬＴ：Ｏｐｔｉｃａｌ  Ｌｉｎｅ  Ｔｅｒｍｉｎａｌ）と、加入者宅にそれぞれ設けられる複数の加入者側装置（ＯＮＵ：Ｏｐｔｉｃａｌ  Ｎｅｔｗｏｒｋ  Ｕｎｉｔ）と、光スプリッタとを備えて構成される。ＯＬＴ及びＯＮＵと、光スプリッタとは、光ファイバで接続される。
【０００４】
ＯＬＴと光スプリッタの間の接続には、一芯の光ファイバが用いられる。この一芯の光ファイバは、複数のＯＮＵにより共有される。また、光スプリッタは、安価な受動素子である。このように、ＰＯＮは、経済性に優れ、また、保守も容易である。このため、ＰＯＮの導入は、急速に進んでいる。
【０００５】
ＰＯＮでは、各ＯＮＵからＯＬＴに送られる信号（以下、上り光信号と称することもある）は、光スプリッタで合波されてＯＬＴに送信される。一方、ＯＬＴから各ＯＮＵに送られる信号（以下、下り光信号と称することもある）は、光スプリッタで分波されて各ＯＮＵに送信される。なお、上り光信号と下り光信号との干渉を防ぐために、上り光信号と下り光信号には、それぞれ異なる波長が割り当てられる。
【０００６】
また、ＰＯＮでは、様々な多重技術が用いられる。ＰＯＮで用いられる多重技術には、時間軸上の短い区間を各加入者に割り当てる時分割多重（ＴＤＭ：Ｔｉｍｅ  Ｄｉｖｉｓｉｏｎ  Ｍｕｌｔｉｐｌｅｘ）技術、異なる波長を各加入者に割り当てる波長分割多重（ＷＤＭ：Ｗａｖｅｌｅｎｇｔｈ  Ｄｉｖｉｓｉｏｎ  Ｍｕｌｔｉｐｌｅｘ）技術、異なる符号を各加入者に割り当てる符号分割多重（ＣＤＭ：Ｃｏｄｅ  Ｄｉｖｉｓｉｏｎ  Ｍｕｌｔｉｐｌｅｘ）技術などがある。これらの多重技術の中で、ＴＤＭを利用するＴＤＭ−ＰＯＮが、現在最も広く用いられている。ＴＤＭ−ＰＯＮでは、ＴＤＭＡ（Ｔｉｍｅ  Ｄｉｖｉｓｉｏｎ  Ｍｕｌｔｉｐｌｅ  Ａｃｃｅｓｓ）が用いられている。ＴＤＭＡは、ＯＬＴが、各ＯＮＵの送信タイミングを管理して、異なるＯＮＵからの上り光信号同士が衝突しないように制御する技術である。
【０００７】
ＰＯＮシステムの中で、Ｅｔｈｅｒｎｅｔ（登録商標）技術を使用したものを、Ｅｔｈｅｒｎｅｔ（登録商標）−ＰＯＮと称し、Ｇｉｇａｂｉｔ（１×１０９ｂｉｔ／ｓｅｃ）Ｅｔｈｅｒｎｅｔ（登録商標）技術を使用したものをＧＥ−ＰＯＮと称する。ＧＥ−ＰＯＮは、ＩＥＥＥ８０２．３ａｈで標準化されている。
【０００８】
ＧＥ−ＰＯＮシステムにおいて、ＯＬＴとＯＮＵとの間の通信を行うためには、ＯＬＴにＯＮＵを登録する必要がある。ＧＥ−ＰＯＮシステムでは、１つのＯＬＴに対して、複数のＯＮＵが接続されているため、新たなＯＮＵの登録は、他の登録済みのＯＮＵとＯＬＴとの間の通信に影響することなく行われる必要がある。そのため、上記ＩＥＥＥ８０２．３ａｈ（以下、標準と称する）では、未登録のＯＮＵがＯＬＴに検出され、登録される手順（以下、ディスカバリシーケンスと称する）が規定されている。
【０００９】
ＯＬＴは、周期的にディスカバリゲートをブロードキャスト送信する。ディスカバリゲートは、ＯＮＵが登録されているか否かに関わらず全てのＯＮＵに対して送信される。なお、ＯＬＴがディスカバリゲートを送信する周期をディスカバリ周期と称する。ＰＯＮシステムに新たに接続されたＯＮＵは、電源がＯＮ状態になり、信号の受信が可能な状態になると、周期的にディスカバリゲートを受信する。
【００１０】
未登録のＯＮＵでは、ディスカバリゲートを受信すると、ＯＬＴに対して登録を要求するレジスタリクエストを送信する。レジスタリクエストには、各ＯＮＵの個体識別番号としてのＭＡＣアドレスが含まれている。
【００１１】
一方、ＯＬＴでは、ディスカバリウィンドウが設定されている。ＯＬＴは、このウィンドウが開いている時間の間、レジスタリクエストの受信を待つ。
【００１２】
ＯＬＴは、レジスタリクエストを受信することで、ＯＮＵのＭＡＣアドレスを認識する。ＯＬＴは、認識したＭＡＣアドレスを有するＯＮＵ宛にレジスタを送る。レジスタには、ＰＯＮシステムにおけるリンク番号（ＬＬＩＤ）が含まれている。
【００１３】
また、ＯＬＴは、レジスタの送信に続いて、送信帯域及び送信タイミングを通知して、上り光信号の送信を許可するゲートをＯＮＵに送る。
【００１４】
ゲートを受信したＯＮＵは、レジスタアック（ＡＣＫ）をＯＬＴに対して送信する。ＯＬＴがレジスタアックを受信すると、ＯＮＵの登録が完了する。すなわち、ディスカバリシーケンスが終了する。
【００１５】
ＯＮＵが登録された後は、ＯＬＴ−ＯＮＵ間の通常の通信が行われる。
【００１６】
ところで、ＴＤＭ及びＷＤＭを併用したＰＯＮシステム（以下、ＴＤＭ／ＷＤＭ−ＰＯＮとも称する）が提案されている。ＴＤＭ／ＷＤＭ−ＰＯＮでは、例えばＯＬＴが複数の終端装置（ＯＳＵ：Ｏｐｔｉｃａｌ  Ｓｕｂｓｃｒｉｂｅｒ  Ｕｎｉｔ）を有している。
【００１７】
ＴＤＭ／ＷＤＭ−ＰＯＮにおいて、各ＯＳＵは、それぞれ特定の波長でＯＮＵと通信を行う。そして、各ＯＳＵ−ＯＮＵ間では、上り光信号及び下り光信号が、波長毎に、互いに重なり合うことなく、時間多重されて送られる。ＴＤＭ／ＷＤＭ−ＰＯＮでは、管理するＯＮＵを、複数のＯＳＵで振り分けて管理し、１つのＯＳＵが管理するＯＮＵを減らすことにより、加入者に提供するサービス帯域を増大させることができる。
【００１８】
ここで、ＴＤＭ／ＷＤＭ−ＰＯＮでは、ＯＮＵは、複数のＯＳＵのうちのいずれかに登録されればよい。既に説明したように、ＴＤＭ／ＷＤＭ−ＰＯＮでは、ＯＮＵは、ＯＳＵに応じた波長で通信を行うため、送信及び受信可能な波長が可変であるのが好ましい。
【００１９】
そこで、ＴＤＭ／ＷＤＭ−ＰＯＮにおいて、ＯＮＵに可変波長フィルタを設ける構成がある（例えば、特許文献１参照）。
【００２０】
この構成において、未登録のＯＮＵは、可変波長フィルタの透過波長を掃引して、ディスカバリゲートを待機する。
【００２１】
未登録のＯＮＵは、下り光信号が入力されると、その光パワーを測定する。そして、測定された光パワーがある値よりも小さい場合には、可変波長フィルタの透過波長を変更し、異なる透過波長を設定する。
【００２２】
また、測定された光パワーがある値以上の場合には、未登録のＯＮＵは、下り光信号がディスカバリゲートであるか否かを判定する。ディスカバリゲートが検出されれば、上述した各過程により、ディスカバリシーケンスが行われる。一方、ディスカバリゲートが検出されなければ、ディスカバリゲートを一定時間待機する。この一定時間の間にディスカバリゲートを受信しない（すなわちタイムアウトとなる）場合には、再び可変波長フィルタの透過波長を変更し、異なる透過波長を設定する。
【先行技術文献】
【特許文献】
【００２３】
【特許文献１】特開２０１１−００４２７０号公報
【発明の概要】
【発明が解決しようとする課題】
【００２４】
従来のＴＤＭ／ＷＤＭ−ＰＯＮでは、未登録のＯＮＵは、可変波長フィルタの透過波長を変更しつつ繰り返し設定し、ディスカバリゲートを受信できる透過波長を探索する必要がある。
【００２５】
また、従来のＴＤＭ／ＷＤＭ−ＰＯＮにおいて、上述したＯＮＵのタイムアウトまでの時間は、ディスカバリ周期以上に設定されている。これは、あるタイミングで設定されている可変波長フィルタの透過波長において、ディスカバリゲートが受信されるか否かを正しく判定するためである。
【００２６】
従って、従来のＴＤＭ／ＷＤＭ−ＰＯＮでは、ディスカバリシーケンスの開始までに長い時間を要し、その結果、ディスカバリシーケンスの完了までに長い時間が必要となる。
【００２７】
この発明の目的は、ＴＤＭ／ＷＤＭ−ＰＯＮにおいて、従来と比して、ディスカバリシーケンスを早期に完了できる加入者側装置登録方法を提供することにある。
【課題を解決するための手段】
【００２８】
上述の目的を達成するために、この発明による加入者側装置登録方法は、以下の特徴を備えている。
【００２９】
すなわち、この発明による加入者側装置登録方法は、複数の終端装置を有する局側装置と、局側装置と光伝送路を介して接続されており、可変波長フィルタを有する複数の加入者側装置とを含んで構成され、複数の終端装置は、加入者側装置に対して、それぞれ異なる波長の下り光信号を送信し、複数の加入者側装置は、終端装置に対して、それぞれ異なる送信タイミングで上り光信号を送信するネットワークにおいて実行される、以下の過程を備えている。
【００３０】
ディスカバリシーケンスの前に行われる、少なくとも１つの終端装置が、全ての加入者側装置に対して、設定すべき波長を通知する波長通知信号を、ディスカバリ周期よりも短い周期で送信する過程、及び波長通知信号を受信した未登録の加入者側装置が、可変波長フィルタの透過波長を、波長通知信号によって通知された波長に設定する過程と、いずれかの終端装置が未登録の加入者側装置を登録するディスカバリシーケンスを行う過程とを含む。
【発明の効果】
【００３１】
この発明による加入者側装置登録方法では、ディスカバリシーケンスを行う終端装置の送信波長を、波長通知信号によって、未登録の加入者側装置に通知することができる。そのため、未登録の加入者側装置が、波長通知信号から設定すべき波長を読み取ることによって、可変波長フィルタの透過波長を、ディスカバリシーケンスを行う終端装置の送信波長に対応させた状態で待機することができる。その結果、ディスカバリ周期に依存することなくディスカバリシーケンスを開始することができ、従って、従来と比して早期にディスカバリシーケンスを完了できる。
【図面の簡単な説明】
【００３２】
【図１】ＴＤＭ／ＷＤＭ−ＰＯＮの概略構成図である。
【図２】ＯＳＵの概略構成図である。
【図３】ＯＮＵの概略構成図である。
【図４】未登録のＯＮＵの動作を説明するためフローチャートである。
【図５】加入者側装置登録方法を説明するための図である。
【発明を実施するための形態】
【００３３】
以下、図を参照して、この発明の実施の形態について説明するが、各構成要素の配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００３４】
（ＴＤＭ／ＷＤＭ−ＰＯＮ）
この発明による加入者側装置登録方法は、ＴＤＭ／ＷＤＭ−ＰＯＮで用いられる。そこで、先ず、図１を参照してＴＤＭ／ＷＤＭ−ＰＯＮの構成について説明する。
【００３５】
ＴＤＭ／ＷＤＭ−ＰＯＮ１０は、ＯＬＴ１００と、各ＯＬＴ１００と合分波器１３０及び光伝送路３００を介して接続されている複数のＯＮＵ４００とを含んで構成されている。ＯＬＴ１００は、管理部１１０、スイッチング素子１２０、複数のＯＳＵ２００、及び合分波器１３０を有している。
【００３６】
光伝送路３００は、例えば光ファイバ３１０及び光スプリッタ３２０を含んで構成されている。図１に示す構成例では、ＯＬＴ１００の合分波器１３０と接続された光ファイバ３１０が、光スプリッタ３２０によって分岐されている。そして、分岐された光ファイバ３３０に、ＯＮＵ４００がそれぞれ接続されている。
【００３７】
ＯＮＵ４００は、ユーザ端末から受信した上りデータ信号と、帯域の要求などを行う上り制御信号を、上り光信号として生成し、ＯＳＵ２００に送信する。
【００３８】
ＯＳＵ２００は、上位ネットワークから受信した下りデータ信号と、ＯＮＵ４００を管理するための下り制御信号とを、下り光信号として生成し、ＯＮＵ４００に送信する。
【００３９】
なお、図１では、４つのＯＳＵ２００−１〜４と４つのＯＮＵ４００−１〜４を備える構成例を示しているが、ＯＳＵ２００及びＯＮＵ４００の数はこれに限定されない。ＯＳＵ２００及びＯＮＵ４００の詳細な構成及び機能については、後述する。
【００４０】
ここで、ＴＤＭ／ＷＤＭ−ＰＯＮ１０では、ＯＮＵ４００は、複数のＯＳＵ２００のうちのいずれかに登録されればよい。
【００４１】
ＴＤＭ／ＷＤＭ−ＰＯＮ１０では、各ＯＳＵ２００に、それぞれ異なる波長が割り当てられる。そして、各ＯＳＵ２００は、割り当てられた波長の下り光信号を送信する。また、各ＯＳＵ２００は、割り当てられた波長の上り光信号を受信する。
【００４２】
一方、ＯＮＵ４００は、登録されるＯＳＵ２００が受信可能な波長の上り光信号を送信する。このとき、同じＯＳＵ２００に登録されている他のＯＮＵ４００からの上り光信号が重ならないように、同じＯＳＵ２００に登録されている各ＯＮＵ４００には、それぞれ異なる送信タイミングが割り当てられる。これら上り光信号の送信波長及び送信タイミングは、ＯＳＵ２００によって通知される。
【００４３】
ＯＬＴ１００が備える管理部１１０は、ＰＯＮリンクを確立しているＯＮＵ４００（ＰＯＮリンク情報）を管理している。管理部１１０は、ＰＯＮリンク情報をＲＡＭ（Ｒａｎｄｏｍ  Ａｃｃｅｓｓ  Ｍｅｍｏｒｙ）等の記憶部（図示を省略する）に読み出し及び書き換え自在に格納している。そして、管理部１１０は、スイッチング素子１２０から受け取る宛先やトラフィックなどの情報と、ＰＯＮリンク情報に基づいて送信プランを作成する。管理部１１０は、送信プランをスイッチング素子１２０及び各ＯＳＵ２００に通知する。
【００４４】
また、管理部１１０は、下り光信号の波長を各ＯＳＵに通知する波長設定信号を生成する。波長設定信号はＯＳＵ２００に送られる。既に説明したように、ＴＤＭ／ＷＤＭ−ＰＯＮ１０では、各ＯＳＵ２００−ＯＮＵ４００間において、特定の波長で通信を行う。従って、管理部１１０は、各ＯＳＵ２００に対して、それぞれ互いに異なる波長の下り光信号を設定させる。
【００４５】
また、管理部１１０は、ディスカバリシーケンスを行うＯＳＵ２００を把握する。そして、ディスカバリシーケンスを行うＯＳＵ２００に設定された下り光信号の送信波長に対応して、波長通知信号を生成するように、各ＯＳＵ２００に通知する。なお、波長通知信号については後述する。
【００４６】
スイッチング素子１２０は、上位ネットワークと各ＯＳＵ２００との通信経路を設定する。スイッチング素子１２０は、管理部１１０から通知される送信プランに基づいて、下りデータ信号を各ＯＳＵ２００に振り分けて送るとともに、各ＯＳＵ２００から送られた上りデータ信号を上位ネットワークに送る。また、上位ネットワークから送られる下りデータ信号の宛先やトラフィックなどの情報を管理部１１０に通知する。
【００４７】
合分波器１３０は、各ＯＳＵ２００から送られる、それぞれ波長の異なる下り光信号を合波し、光伝送路３００を介してＯＮＵ４００へ送る。また、各ＯＮＵ４００からそれぞれ光伝送路３００を介して送られる、時間多重された上り光信号を、波長毎に分波し、波長に応じたＯＳＵ２００へ送る。
【００４８】
（終端装置）
図２を参照して、ＯＳＵ２００の構成について説明する。この実施の形態では、ＯＳＵ２００は、電気信号処理部２５０、及び光信号処理部２７０を含んで構成されている。電気信号処理部２５０は、インタフェース２５５、電気信号送信部２５７、電気信号受信部２５９、及び制御部２６１を備えている。また、光信号処理部２７０は、光信号送信部２７１、光信号受信部２７３、合分波部２７５を備えている。
【００４９】
インタフェース２５５、電気信号送信部２５７及び電気信号受信部２５９は、任意好適な従来のＰＯＮで用いられるＯＬＴと同様に構成できるので、ここでは詳細な説明を省略する。
【００５０】
インタフェース２５５は、上位ネットワークとの間で、スイッチング素子１２０を介して、上りデータ信号及び下りデータ信号の送受信を行う。
【００５１】
電気信号送信部２５７は、インタフェース２５５から受け取った下りデータ信号、及び制御部２６１から受け取った下り制御信号に基づいて下り電気信号を生成する。下り電気信号は、光信号送信部２７１に送られる。
【００５２】
電気信号受信部２５９は、光信号受信部２７３から受け取った上り電気信号を、上りデータ信号と上り制御信号とに分離する。上りデータ信号は、インタフェース２５５及びスイッチング素子１２０を介して上位ネットワークに送られ、上り制御信号は、制御部２６１に送られる。
【００５３】
制御部２６１は、機能手段として、信号生成手段２６３と、信号読取手段２６５と、ＯＮＵ登録手段２６７とを備えている。制御部２６１は、従来のＰＯＮで用いられるＯＬＴと同様に構成することができる。そして、各機能手段は、制御部２６１が実行するプログラムにより実現される。また、各機能手段の処理結果等は、適宜ＲＡＭ等の記憶部（図示せず）に格納される。
【００５４】
信号生成手段２６３は、下り制御信号を生成する。下り制御信号としては、例えば、管理部１１０からインタフェース２５５を経て受け取った送信プラン、並びにＯＮＵから受け取った要求帯域に基づいて、ＯＮＵに上り光信号の送信帯域及び送信タイミングを指示する信号や、ディスカバリシーケンスで用いられるディスカバリゲート等がある。さらに、この実施の形態では、下り制御信号は、波長通知信号を含んでいる。波長通知信号は、管理部１１０からの通知に基づいて生成される。波長通知信号は、複数のＯＳＵ２００のうちの、ディスカバリシーケンスを行うＯＳＵ２００に設定された下り光信号の波長を、ＯＮＵ４００に通知する。また、下り制御信号には、上り光信号の送信波長を指示する情報等が含まれている。既に説明したように、ＴＤＭ／ＷＤＭ−ＰＯＮ１０では、各ＯＳＵ２００−ＯＮＵ４００間において、特定の波長で通信を行う。そのために、ＯＮＵ４００に対して、送信先のＯＳＵ２００に応じた特定の波長で上り光信号を生成するように、下り制御信号によって指示する。下り制御信号は、電気信号送信部２５７に送られる。
【００５５】
信号読取手段２６５は、上り制御信号に含まれるＭＡＣアドレス及び要求帯域等の各ＯＮＵの情報を読み取る。
【００５６】
ＯＮＵ登録手段２６７は、ＰＯＮリンクを確立しているＯＮＵ４００を登録する。さらに、ＯＮＵ登録手段２６７は、自己のＯＳＵ２００が、どのＯＮＵ４００とＰＯＮリンクを確立しているかを示すＰＯＮリンク情報などを、インタフェース２５５を経て管理部１１０に通知する。
【００５７】
光信号送信部２７１は、下り電気信号を、それぞれ下り光信号に変換する。光信号送信部２７１は、例えば可変波長光送信器（ＴＬＤ：Ｔｕｎａｂｌｅ  Ｌａｓｅｒ  Ｄｉｏｄｅ）などの、波長の変更が可能な、任意好適な電気／光変換手段を有して構成されている。制御部２６１は、管理部１１０から送られる波長設定信号に基づき、光信号送信部２７１の下り光信号の波長を設定する。下り光信号は、合分波部２７５を経て、合分波器１３０に送られる。
【００５８】
光信号受信部２７３は、合分波部２７５を経て送られる上り光信号を上り電気信号に変換する。光信号受信部２７３は、例えば光受信器（ＰＤ：Ｐｈｏｔｏ  Ｄｉｏｄｅ）などの任意好適な光電変換素子を備えて構成されている。ＰＤは、少なくともＯＮＵ４００が設定し得る波長帯の上り光信号を受光できるように設定されている。上り電気信号は、電気信号受信部２５９に送られる。
【００５９】
合分波部２７５は、光信号送信部２７１で生成された下り光信号を合分波器１３０に送るとともに、合分波器１３０から受け取った上り光信号を光信号受信部２７３に送る。合分波部２７５は、例えばＷＤＭフィルタなどの任意好適な合分波器を備えて構成されている。ＴＤＭ／ＷＤＭ−ＰＯＮ１０では、下り光信号と上り光信号とで、異なる波長帯の光が用いられる。そのため、例えばＷＤＭフィルタを利用することによって、上り光信号と下り光信号とを合波及び分波することができる。
【００６０】
ＯＳＵ２００からＯＮＵ４００へ送信される下り光信号の経路について説明する。
【００６１】
上位ネットワークから送られた下りデータ信号は、スイッチング素子１２０に入力される。スイッチング素子１２０は、管理部１１０から受け取った送信プランに基づき、下りデータ信号を、宛先に応じたＯＳＵ２００に送る。ＯＳＵ２００は、受け取った下りデータ信号を、管理部１１０から受け取った波長設定信号に基づく波長の下り光信号に変換する。下り光信号は、ＯＳＵ２００から、光伝送路３００を経て、ＯＮＵ４００に送られる。
【００６２】
（加入者側装置）
図３を参照して、ＯＮＵ４００の構成について説明する。
【００６３】
図３に示すように、この実施の形態では、電気信号処理部４５０、及び光信号処理部４７０を含んでＯＮＵ４００が構成されている。
【００６４】
電気信号処理部４５０は、インタフェース４５５、バッファ部４５６、電気信号送信部４５７、電気信号受信部４５９、パワー測定部４５１、及び制御部４６１を備えている。また、光信号処理部４７０は、光信号送信部４７１、光信号受信部４７３、合分波部４７５を備えている。
【００６５】
インタフェース４５５、バッファ部４５６、電気信号送信部４５７、及び電気信号受信部４５９は、任意好適な従来周知のＯＮＵと同様に構成できるので、ここでは詳細な説明を省略する。
【００６６】
インタフェース４５５は、ユーザ端末との間で、上りデータ信号及び下りデータ信号の送受信を行う。
【００６７】
バッファ部４５６には、上りデータ信号が格納される。バッファ部４５６は、格納されたデータ量（バッファ量）を制御部４６１に通知するとともに、制御部４６１からの指示に応答して上りデータ信号を読み出して電気信号送信部４５７に送る。
【００６８】
電気信号送信部４５７は、バッファ部４５６から受け取った上りデータ信号、及び制御部４６１から受け取った上り制御信号に基づいて上り電気信号を生成する。そして、上り電気信号を、光信号送信部４７１に送る。
【００６９】
電気信号受信部４５９は、下り電気信号を、下りデータ信号と下り制御信号とに分離する。そして、下りデータ信号を、インタフェース４５５を経てユーザ端末に送る。また、下り制御信号を制御部４６１に送る。
【００７０】
パワー測定部４６１は、光信号受信部４７３から送られる下り電気信号を用いて、下り光信号の光パワーを測定する。そして、測定した光パワーの情報を制御部４６１に通知する。
【００７１】
制御部４６１は、信号読取手段４６３、信号生成手段４６５、送信設定手段４６６、可変波長フィルタ制御手段４６７を備えている。
【００７２】
信号読取手段４６３は、下り制御信号に含まれる、上り光信号の送信帯域、送信タイミング、及び送信波長を指示する情報等の、ＯＬＴとの通信を行うのに必要な情報を読み取る。また、この実施の形態では、下り制御信号の一つである波長通知信号から、ディスカバリシーケンスを行うＯＳＵ２００に設定された下り光信号の波長の情報を読み取る。
【００７３】
信号生成手段４６５は、バッファ部４５６から受け取ったバッファ量を、ＯＳＵ２００に通知する上り制御信号を生成する。上り制御信号は、電気信号送信部４５７に送られる。
【００７４】
送信設定手段４６６は、信号読取手段４６３において読み取った、上り光信号の波長、送信タイミング、及び送信波長を指示する情報等を光信号送信部４７１に通知する。
【００７５】
可変波長フィルタ制御手段４６７は、パワー測定部４５１から通知される光パワーの情報、又は信号読取手段４６３が波長通知信号から読み取った波長の情報に基づき、可変波長フィルタ４７９に、設定すべき透過波長を通知する。
【００７６】
光信号送信部４７１は、上り電気信号を上り光信号に変換する。光信号送信部４７１は、例えばＴＬＤなどの、波長の変更が可能な、任意好適な電気／光変換手段を有して構成されている。上り光信号の波長は、送信設定手段４６６からの通知に基づいて設定される。そして、光信号送信部４７１で生成された上り光信号は、合分波部４７５へ送られ、光伝送路３００を経てＯＳＵ２００に送られる。
【００７７】
光信号受信部４７３は、合分波部４７５を経て送られる下り光信号を下り電気信号に変換する。下り電気信号は、電気信号受信部４５９に送られる。光信号受信部４７３は、可変波長フィルタ４７９、及び例えばＰＤなどの任意好適な光電変換素子４７７を備えて構成されている。ＰＤは、少なくともＯＳＵ２００が設定し得る波長帯の下り光信号を受光できるように設定されている。
【００７８】
可変波長フィルタ４７９は、制御部４６１の可変波長フィルタ制御手段４６７からの通知に応じて、透過波長を設定する。
【００７９】
合分波部４７５は、上り光信号と下り光信号とを合波及び分波する、合分波部４７５は、例えばＷＤＭフィルタなどの任意好適な合分波器を備えて構成されている。既に説明したように、ＴＤＭ／ＷＤＭ−ＰＯＮでは、下り光信号と上り光信号とで、異なる波長帯の光が用いられる。そのため、例えばＷＤＭフィルタを利用することによって、上り光信号と下り光信号とを合波及び分波することができる。
【００８０】
ＯＮＵ４００からＯＳＵ２００へ送信される上り光信号の経路について説明する。
【００８１】
ユーザ端末から送られた上りデータ信号は、ＯＮＵ４００に送られる。ＯＮＵ４００は、受け取った上りデータ信号を、下り制御信号によって指示された送信帯域、送信タイミング、及び送信波長に基づいて、上り光信号に変換する。上り光信号は、ＯＮＵ４００から、光伝送路３００を経て、下り光信号の送信元であるＯＳＵ２００に送られる。
【００８２】
（未登録の加入者側装置の動作）
図４を参照して、未登録のＯＮＵ４００の動作について説明する。ここでは、未登録のＯＮＵ４００が、上述した標準のディスカバリシーケンスによって、ＯＳＵ２００に登録される場合について説明する。
【００８３】
ディスカバリシーケンスは、例えば、未登録のＯＮＵ４００をネットワークに接続し、起動した場合に行われる。また、登録済みのＯＮＵ４００を再起動する場合は、当該ＯＮＵ４００は未登録となり、ディスカバリシーケンスにより再び登録される。
【００８４】
まず、未登録のＯＮＵ４００は、可変波長フィルタ制御手段４６７の通知に基づき、可変波長フィルタ４７９の透過波長を特定の波長に設定する（Ｓ１）。
【００８５】
次に、未登録のＯＮＵ４００は、下り光信号の光パワーがある値以上であるか否かを判定する（Ｓ２）。
【００８６】
下り光信号は、合分波部４７５を経て光信号受信部４７３に送られる。光信号受信部４７３は、下り光信号を下り電気信号に変換する。そして、電気信号受信部４５９において、下り電気信号から下り制御信号が復元される。下り制御信号は、制御部４６１に送られる。また、パワー測定部４５１は、下り電気信号を用いて、下り光信号の光パワーを測定する。そして、測定した光パワーの情報を制御部４６１に通知する。制御部４６１は、測定された光パワーがある値以上であるか否かを判定する。
【００８７】
測定された下り光信号の光パワーがある値以上の場合（Ｙｅｓ）には、Ｓ４に進む。
【００８８】
また、測定された下り光信号の光パワーがある値よりも小さい場合（Ｎｏ）には、Ｓ３に進み、未登録のＯＮＵ４００は、光パワーがある値以上の下り光信号が受信されるのを一定時間待機する。
【００８９】
Ｓ３において、未登録のＯＮＵ４００は、制御部４６１において、一定時間経過したか否かを判定する。一定時間経過した場合（Ｙｅｓ）には、Ｓ１に戻り、可変波長フィルタ４７９の透過波長を変更し、異なる透過波長を設定する。一定時間経過していない場合（Ｎｏ）には、Ｓ２に戻り、光パワーがある値以上である下り光信号を受信したか否かを判定する。
【００９０】
図１に示す構成例では、ＴＤＭ／ＷＤＭ−ＰＯＮ１０が４つのＯＳＵ４００−１〜４を含んで構成されている。ＯＳＵ４００−１〜４には、管理部１１０によって、順にλ１、λ２、λ３及びλ４の送信波長が割り当てられているものとする。この場合には、ＯＮＵ４００は、Ｓ３において下り光信号の光りパワーがある値以上となるまで、上述したＳ１〜Ｓ３を実行することによって、可変波長フィルタ４７９の透過波長を、一定時間毎に、例えばλ１、λ２、λ３及びλ４を順次に変更して設定する。制御部４６１は、受信した下り光信号の波長と、可変波長フィルタ４７９の透過波長とが対応する場合において、光パワーをある値以上と判定する。また、光パワーがある値以上の下り光信号を待機する一定時間は、ディスカバリ周期よりも短い時間に設定されている。
【００９１】
次に、制御部４６１は、信号読取手段４６３によって、下り制御信号に定期的に含まれる波長通知信号を読み取る（Ｓ４）。
【００９２】
波長通知信号は、設定すべき波長をＯＮＵ４００に通知する。波長通知信号が通知する情報は、信号読取手段４６３によって読み取られ、可変波長フィルタ制御手段４６７によって可変波長フィルタ４７９に通知される。
【００９３】
次に、可変波長フィルタ制御手段４６７からの通知に基づき、可変波長フィルタ４７９の透過波長を、波長通知信号によって通知された波長に設定する（Ｓ５）。
【００９４】
既に説明したように、波長通知信号によって通知される波長は、ディスカバリシーケンスを行うＯＳＵ２００に設定された下り光信号の波長である。従って、可変波長フィルタ４７９の透過波長は、応答要求信号（ここでは、ディスカバリゲート）の波長と対応する。
【００９５】
次に、ＯＮＵ４００は、ディスカバリゲートを受信する（Ｓ６）。
【００９６】
上述したように、Ｓ５において、可変波長フィルタ４７９の透過波長が、ディスカバリゲートの波長に対応して設定されている。従って、ＯＮＵ４００は、ディスカバリゲートを上述したある値以上の光パワーで受信することができる。
【００９７】
ＯＮＵ４００が、ある値以上の光パワーでディスカバリゲートを受信した後は、そのディスカバリゲートの送信元のＯＳＵ２００との間で、上述したディスカバリシーケンスが行われる。
【００９８】
なお、Ｓ２において、受信した下り光信号にディスカバリゲートが含まれており、かつ
Ｓ２において、下り光信号の光パワーがある値以上である場合には、Ｓ４以降の動作を実行せずに、ディスカバリシーケンスが行われる。
【００９９】
（加入者側装置の登録方法）
図５を参照して、この実施の形態の加入者側装置登録方法について説明する。ここでは、加入者側装置登録方法を、上述した標準のディスカバリシーケンスに適用した場合について説明する。
【０１００】
なお、ここでは、複数のＯＳＵのうちの２つのＯＳＵ２００（ここでは、第１のＯＳＵ２００−１及び第２のＯＳＵ２００−２）が稼働しており、そのうちの１つのＯＳＵ２００（ここでは、第２のＯＳＵ２００−２）がディスカバリシーケンスを行う場合について説明する。また、第１のＯＳＵ２００−１は波長λ１の下り光信号を送信し、第２のＯＳＵ２００−２は波長λ２の下り光信号を送信するものとする。
【０１０１】
第１のＯＳＵ２００−１は、通常の通信において、波長通知信号を含む下り光信号を定期的に送信する。この波長通知信号は、第２のＯＳＵ２００−２が定期的に送信する応答要求信号（ここではディスカバリゲート）の周期、すなわちディスカバリ周期よりも、短い周期で送信される。なお、図５では、波長通知信号をＢＣで、ディスカバリゲートをＤＧで、及びその他の信号をＸでそれぞれ示してある。
【０１０２】
波長通知信号は、制御部２６１の信号生成手段２６３で、下り制御信号の一部として生成される。既に説明したように、波長通知信号は、未登録のＯＮＵ４００に対して、設定すべき波長を通知する情報を有している。波長通知信号が通知する波長は、ディスカバリシーケンスを行うＯＳＵ２００に設定された下り光信号の波長である。波長通知信号が通知すべき波長は、管理部１１０から通知される。ここでは、波長λ２の下り光信号を送信する第２のＯＳＵ２００−２がディスカバリシーケンスを行うので、波長通知信号は、波長λ２を通知する信号として生成される。波長通知信号を含む下り制御信号は、電気信号送信部２５７に送られる。電気信号送信部２５７は、インタフェース２５５から受け取った下りデータ信号、及び制御部２６１から受け取った波長通知信号を含む下り制御信号に基づいて下り電気信号を生成する。下り電気信号は、光信号送信部２７１において、下り光信号に変換された後、合分波部２７５、合分波器１３０、及び光伝送路３００を経て、ＯＮＵ４００に送られる。波長通知信号を含む下り光信号は、全てのＯＮＵ４００に対してブロードキャスト送信される。なお、既に登録済みのＯＮＵ４００は、波長通知信号を受信しても、可変波長フィルタ４７９の透過波長を変更しない。
【０１０３】
第２のＯＳＵ２００−２は、各ＯＮＵ４００に対して、ディスカバリゲートを送信する。
【０１０４】
ディスカバリゲートは、制御部２６１の信号生成手段２６３で下り制御信号として生成される。この下り制御信号には、未登録のＯＮＵ４００に応答信号（ここでは、レジスタリクエスト）の送信タイミング及び送信波長を指示する情報が含まれている。下り制御信号は、電気信号送信部２５７及び光信号送信部２７１において、下り光信号に変換された後、合分波部２７５、合分波器１３０、及び光伝送路３００を経て、各ＯＮＵ４００に送られる。
【０１０５】
なお、第２のＯＳＵ２００−２が、他の登録済みのＯＮＵ４００と通常の通信を行っている場合には、第１のＯＳＵ２００−１と同様に、第２のＯＳＵ２００−２も、通常の通信において、波長通知信号を含む下り光信号を送信する。
【０１０６】
未登録のＯＮＵ４００は、まず、可変波長フィルタ４７９の透過波長を掃引しつつ、下り光信号を待機する。ここでは、受信する下り光信号の光パワーがある値よりも小さい場合に、可変波長フィルタ４７９の透過波長を、λ１、λ２、λ３及びλ４の順に変更して設定するものとする。
【０１０７】
可変波長フィルタ４７９の透過波長がλ３又はλ４に設定されている状態において、第１のＯＳＵ２００−１から送信される波長λ１の下り光信号、又は第２のＯＳＵ２００―２から送信される波長λ２の下り光信号を受信すると、制御部４６１において、それらの光パワーがある値よりも小さいと判定される（図４のＳ２参照）。図５では、未登録のＯＮＵ４００が受信する下り光信号の光パワーが、ある値よりも小さくなる期間を、黒塗りで示してある。従って、可変波長フィルタ４７９の透過波長が変更される（図４のＳ１参照）。ここでは、図５に示すように、可変波長フィルタ４７９の透過波長がλ４からλ１へ変更される。
【０１０８】
次に、未登録のＯＮＵ４００は、可変波長フィルタ４７９の透過波長がλ１に設定されている状態において、第１のＯＳＵ２００−１から送信される波長λ１の下り光信号を受信する。その結果、制御部４６１において、下り光信号の光パワーがある値より以上と判定される（図４のＳ２参照）。第１のＯＳＵ２００−１から送信される下り光信号は、波長通知信号を含んでいる。波長通知信号が通知する設定すべき波長の情報は、信号読取手段４６３によって読み取られ、可変波長フィルタ制御手段４６７によって可変波長フィルタ４７９に通知される（図４のＳ４参照）。そして、可変波長フィルタ制御手段４６７からの通知に基づき、可変波長フィルタ４７９の透過波長が、波長通知信号によって通知された波長に設定される（図４のＳ５参照）。ここでは、波長通知信号は、設定すべき波長として、ディスカバリシーケンスを行う第２のＯＳＵ２００−２に設定された波長λ２を通知する。従って、図５に示すように、可変波長フィルタ４７９の透過波長が、λ１からλ２に変更される。
【０１０９】
次に、未登録のＯＮＵ４００は、第２のＯＳＵ２００−２から送信される、波長λ２の、ディスカバリゲートとしての下り光信号を受信する。
【０１１０】
ディスカバリゲートとしての下り光信号は、合分波部４７５を経て、可変波長フィルタ４７９を含む光信号受信部４７３に送られる。光信号受信部４７３及び電気信号受信部４５９において、下り光信号から下り制御信号が復元され、復元された下り制御信号は、パワー測定部４５１へ送られる。パワー測定部４５１は、下り制御信号を用いて、下り光信号の光パワーを測定する。そして、測定した光パワーの情報を制御部４６１に通知する。また、下り制御信号は、制御部４６１に送られる。上述したように、可変波長フィルタ４７９の透過波長は、第２のＯＳＵ２００−２の送信波長であるλ２に設定されている。従って、制御部４６１は、ディスカバリゲートとしての下り光信号の光パワーを、ある値以上と判定する。そして、制御部４６１は、信号読取手段４６３において、下り制御信号に含まれる、レジスタリクエストの送信タイミング及び送信波長を指示する情報を読み取る。制御部４６１は、信号読取手段４６３において読み取ったレジスタリクエストの送信タイミングに基づき、ランダムディレイを挿入して送信タイミングを設定する。そして、設定された送信タイミングを光信号送信部４７１に通知する。また、制御部４６１は、信号読取手段４６３において読み取った送信波長を光信号送信部４７１に通知する。レジスタリクエストの送信波長は、ディスカバリゲートの送信元である第２のＯＳＵ２００−２に送信される値に設定される。
【０１１１】
未登録のＯＮＵ４００が、光パワーがある値以上のディスカバリゲート（ここでは、第２のＯＳＵ２００−２からのディスカバリゲート）を受信した後は、上述した標準のディスカバリシーケンスと同様の過程によって、未登録のＯＮＵ４００が第２のＯＳＵ２００−２に登録される。以下、ディスカバリシーケンスについて説明する。
【０１１２】
未登録のＯＮＵ４００は、ディスカバリゲートに応答して、第２のＯＳＵ２００−２に対して、登録を要求するレジスタリクエストを送信する。
【０１１３】
制御部４６１は、信号生成手段４６５において、レジスタリクエストを生成する。レジスタリクエストには、ＯＮＵの個体識別番号としてのＭＡＣアドレスを含む。上り制御信号は、電気信号送信部４５７に送られる。電気信号送信部４５７は、上り制御信号に基づいて上り電気信号を生成し、光信号送信部４７１に送る。光信号送信部４７１は、上り電気信号を上り光信号に変換する。上り光信号は、制御部４６１から通知された送信波長で生成される。そして、上り光信号は、制御部４６１から通知された送信タイミングで、光信号送信部４７１から送信される。上り光信号は、合分波部４７５、光伝送路３００、及び合分波器１３０を経て、ディスカバリゲートの送信元である第２のＯＳＵ２００−２に送られる。
【０１１４】
第２のＯＳＵ２００−２は、未登録のＯＮＵ４００から送信されたレジスタリクエストを受信する。
【０１１５】
第２のＯＳＵ２００−２では、ディスカバリウィンドウが設定されている。第２のＯＳＵ２００−２は、このウィンドウが開いている間、レジスタリクエストの受信を待つ。なお、未登録のＯＮＵ４００で設定されるランダムディレイの大きさは、第２のＯＳＵ２００−２におけるレジスタリクエストの受信が、ディスカバリウィンドウが開いている間にされる範囲内で設定される。
【０１１６】
第２のＯＳＵ２００−２において、レジスタリクエストとしての上り光信号は、合分波部２７５を経て光信号受信部２７３に送られる。光信号受信部２７３は、上り光信号を上り電気信号に変換する。変換された上り電気信号は、電気信号受信部２５９に送られる。電気信号受信部２５９は、上り電気信号を上り制御信号に復元する。復元された上り制御信号は、制御部２６１に送られる。制御部２６１は、信号読取手段２６５において、上り制御信号に含まれるＭＡＣアドレスを読み取る。
【０１１７】
次に、第２のＯＳＵ２００−２は、ＬＬＩＤを含むレジスタ、及び送信帯域及び送信タイミングを通知して、上り光信号の送信を許可するゲートを未登録のＯＮＵ４００に送る。ゲートを受信した未登録のＯＮＵ４００は、レジスタアックを第２のＯＳＵ２００−２に対して送信する。第２のＯＳＵ２００−２がレジスタアックを受信すると、未登録のＯＮＵ４００は登録済みとなり、ディスカバリシーケンスが終了する。
【０１１８】
ディスカバリシーケンスが終了すると、第２のＯＳＵ２００−２において、ＯＮＵ登録手段２６７は、そのディスカバリシーケンスにおいて新たに登録された、すなわちＰＯＮリンクが確立されたＯＮＵ４００を登録する。そして、登録されたＯＮＵ４００の情報を管理部１１０に送る。
【０１１９】
なお、上述したディスカバリシーケンスは、周期的に行われる。
【０１２０】
このように、この実施の形態による加入者側装置登録方法では、通常の通信を行うＯＳＵ２００が、通常の通信に用いる下り光信号に波長通知信号を含めてブロードキャスト送信する。既に説明したように、波長通知信号は、ディスカバリ周期よりも短い周期で定期的に送信される。そして、波長通知信号を読み取った未登録のＯＮＵ４００は、可変波長フィルタ４７９の透過波長を、ディスカバリシーケンスを行うＯＳＵ２００の送信波長に合わせて、ディスカバリゲートを待機することができる。その結果、ディスカバリ周期に依存することなく、また、波長通知信号を読み取った以降は、可変波長フィルタ４７９の透過波長を繰り返し変更することなく、ディスカバリシーケンスを開始することができる。
【０１２１】
（第１の変形例）
上述した加入者側装置の登録方法では、１つのＯＳＵ２００がディスカバリシーケンスを行う場合について説明したが、この実施の形態では、複数のＯＳＵ２００がディスカバリシーケンスを行う構成とすることもできる。以下、第１の変形例として、複数のＯＳＵ２００がディスカバリシーケンスを行う構成例について説明する。なお、ここでは、複数のＯＬＴのうちの２つのＯＳＵ２００（ここでは、第１のＯＳＵ２００−１及び第２のＯＳＵ２００−２）が稼働しており、これら２つのＯＳＵ２００がともにディスカバリシーケンスを行う構成について説明する。また、上述した加入者側装置の登録方法と重複する説明は省略する。
【０１２２】
複数のＯＳＵ２００がディスカバリシーケンスを行う場合には、波長通知信号は、異なるＯＳＵ２００が送信する、２以上のディスカバリゲートの波長を通知する情報を有する。
【０１２３】
上述したように、ＯＳＵ２００において、波長通知信号は、制御部２６１の信号生成手段２６３で、下り制御信号の一部として生成される。波長通知信号は、未登録のＯＮＵ４００に対して、設定すべき波長を通知する情報を有している。ここでは、第１のＯＳＵ２００−１及び第２のＯＳＵ２００−２の２つのＯＳＵ２００がディスカバリシーケンスを行うため、波長通知信号は、λ１及びλ２の２つの波長を通知する信号として生成される。波長通知信号が通知すべき波長は、管理部１１０から通知される。
【０１２４】
また、波長通知信号は、通知する各波長に対して比率を付与した比率調整記号を含む。この比率は、例えば、ディスカバリシーケンスを行うＯＳＵ２００に、既に登録されているＯＮＵ４００の数などに基づいて設定される。ＴＤＭ／ＷＤＭ−ＰＯＮでは、加入者に提供するサービス帯域を増大させるために、１つのＯＳＵ２００が管理するＯＮＵ４００を減らすのが好ましい。そこで、管理部１１０が、保有しているＰＯＮリンク情報に基づいて設定した比率の情報を、各ＯＳＵ２００に通知する。例えば、ディスカバリシーケンスを行うＯＳＵ２００のうち、より少ない数のＯＮＵ４００とＰＯＮリンクを確立しているＯＳＵ２００の、ディスカバリシーケンスを行う比率を高く設定する。各ＯＳＵ２００は、受け取った比率の情報に基づき、信号生成手段２６３において比率調整記号を生成する。
【０１２５】
波長通知信号を含む下り制御信号は、上述したのと同様に、通常の通信に用いられる下り光信号に含まれて、全てのＯＮＵ４００にブロードキャスト送信される。
【０１２６】
既に説明したように、未登録のＯＮＵ４００は、波長通知信号を含む下り制御信号の光パワーがある値より以上と判定された場合（図４のＳ２参照）に、信号読取手段４６３において、波長通知信号が通知する波長の情報、及び波長通知信号に含まれる比率調整記号を読み取る（図４のＳ４参照）。ここでは、波長通知信号は、設定すべき波長として、ディスカバリシーケンスを行う第１のＯＳＵ２００−１に設定された波長λ１及び第２のＯＳＵ２００−２に設定された波長λ２を通知する。そして、可変波長フィルタ制御手段４６７は、比率調整記号の比率に応じて透過波長を設定し、設定した波長を可変波長フィルタ４７９に通知する。可変波長フィルタ制御手段４６７からの通知に基づき、可変波長フィルタ４７９の透過波長が設定される（図４のＳ５参照）。その結果、可変波長フィルタ４７９の透過波長は、ディスカバリシーケンスを行うＯＳＵ２００のうち、より比率が高く設定された１つのＯＳＵ２００に対応して設定される。そして、未登録のＯＮＵ４００は、可変波長フィルタ４７９の透過波長に対応する送信波長のＯＳＵ２００との間で、ディスカバリシーケンスを行う。
【０１２７】
このように、第１の変形例では、複数のＯＳＵ２００がディスカバリシーケンスを行う場合において、各ＯＳＵ２００がディスカバリシーケンスを行う比率を調整することができる。従って、各ＯＳＵ２００が管理するＯＮＵ４００の数を調整することができ、その結果、各ＯＳＵ２００が管理するＯＮＵ４００の数を平均化することができる。
【０１２８】
（第２の変形例）
次に、第２の変形例について説明する。第２の変形例では、第１の変形例と同様に、複数のＯＳＵ２００がディスカバリシーケンスを行う。なお、ここでは、複数のＯＳＵのうちの２つのＯＳＵ２００（ここでは、第１のＯＳＵ２００−１及び第２のＯＳＵ２００−２）が稼働しており、これら２つのＯＳＵ２００がともにディスカバリシーケンスを行う構成について説明する。また、上述した加入者側装置の登録方法と重複する説明は省略する。
【０１２９】
第２の変形例では、上述した第１の変形例と同様に、波長通知信号は、異なるＯＳＵ２００が送信する、２以上のディスカバリゲートの波長を通知する情報を有する。
【０１３０】
上述したように、ＯＳＵ２００において、波長通知信号は、制御部２６１の信号生成手段２６３で、下り制御信号の一部として生成される。波長通知信号は、未登録のＯＮＵ４００に対して、設定すべき波長を通知する情報を有している。ここでは、第１のＯＳＵ２００−１及び第２のＯＳＵ２００−２の２つのＯＳＵ２００がディスカバリシーケンスを行うため、波長通知信号は、λ１及びλ２の２つの波長を通知する信号として生成される。波長通知信号が通知すべき波長は、管理部１１０から通知される。
【０１３１】
さらに、波長通知信号は、ディスカバリシーケンスを行う各ＯＳＵ２００が、応答要求信号（ここでは、ディスカバリゲート）を送信するタイミングを通知する情報を含む。これらの送信タイミングは、管理部１１０から通知される。
【０１３２】
波長通知信号を含む下り制御信号は、上述したのと同様に、通常の通信に用いられる下り光信号に含まれて、全てのＯＮＵ４００にブロードキャスト送信される。
【０１３３】
既に説明したように、未登録のＯＮＵ４００は、波長通知信号を含む下り制御信号の光パワーがある値より以上と判定された場合（図４のＳ２参照）に、信号読取手段４６３において、波長通知信号が通知する波長及び送信タイミングの情報を読み取る（図４のＳ４参照）。ここでは、波長通知信号は、設定すべき波長として、ディスカバリシーケンスを行う第１のＯＳＵ２００−１に設定された波長λ１及び第２のＯＳＵ２００−２に設定された波長λ２を通知する。また、第１のＯＳＵ２００−１及び第２のＯＳＵ２００−２がディスカバリゲートを送信するタイミングを通知する。
【０１３４】
そして、可変波長フィルタ制御手段４６７は、通知された波長のうち、例えばより送信タイミングが早い１つの透過波長を設定し、設定した波長を可変波長フィルタ４７９に通知する。可変波長フィルタ制御手段４６７からの通知に基づき、可変波長フィルタ４７９の透過波長が設定される（図４のＳ５参照）。その結果、可変波長フィルタ４７９の透過波長は、ディスカバリシーケンスを行うＯＳＵ２００のうち、ディスカバリゲートの送信タイミングが早い１つのＯＳＵ２００に対応して設定される。そして、未登録のＯＮＵ４００は、可変波長フィルタ４７９の透過波長に対応する送信波長のＯＳＵ２００との間で、ディスカバリシーケンスを行う。
【０１３５】
このように、第２の変形例では、複数のＯＳＵ２００がディスカバリシーケンスを行う場合において、ディスカバリゲートの送信タイミングを未登録のＯＮＵ４００に通知することができる。そのため、未登録のＯＮＵ４００は、ディスカバリゲートの送信タイミングが最も早い１つのＯＳＵ２００に対応して、可変波長フィルタ４７９の透過波長を設定することができる。従って、複数のＯＳＵ２００がディスカバリシーケンスを行う場合において、速やかにディスカバリシーケンスを開始することができる。
【符号の説明】
【０１３６】
１０：ＴＤＭ／ＷＤＭ−ＰＯＮ
１００：局側装置（ＯＬＴ）
１１０：管理部
１２０：スイッチング素子
１３０：合分波器
２００：終端装置（ＯＳＵ）
２５０、４５０：電気信号処理部
２５５、４５５：インタフェース
２５７、４５７：電気信号送信部
２５９、４５９：電気信号受信部
２６１、４６１：制御部
２６３、４６５：信号生成手段
２６５、４６３：信号読取手段
２６７：ＯＮＵ登録手段
２７０、４７０：光信号処理部
２７１、４７１：光信号送信部
２７３、４７３：光信号受信部
２７５、４７５：合分波部
３００：光伝送路
３１０、３３０：光ファイバ
３２０：光スプリッタ
４００：加入者側装置（ＯＮＵ）
４５１：パワー測定部
４５６：バッファ部
４６６：送信設定手段
４６７：可変波長フィルタ制御手段
４７７：光電変換素子
４７９：可変波長フィルタ
【要約】
【課題】ＴＤＭ／ＷＤＭ−ＰＯＮにおいて、従来と比して、ディスカバリシーケンスを早期に完了できる加入者側装置登録方法を提供する。
【解決手段】複数の終端装置を有する局側装置と複数の加入者側装置とを含んで構成され、複数の終端装置に、互いに異なる波長が割り当てられるネットワークにおいて、少なくとも１つの終端装置が、全ての加入者側装置に対して、設定すべき波長を通知する波長通知信号を送信する過程と、波長通知信号を受信した未登録の加入者側装置が、可変波長フィルタの透過波長を、波長通知信号から読み取った波長に設定する過程と、波長通知信号によって通知した波長の下り光信号を用いて、終端装置が未登録の加入者側装置を登録する過程とを備える。
【選択図】図５【図１】
0005556921.tif 000002
【図２】
0005556921.tif 000003
【図３】
0005556921.tif 000004
【図４】
0005556921.tif 000005
【図５】
0005556921.tif 000006